(57)【特許請求の範囲】
【請求項１】
住むため又は作業するため並んで又は重ねて設けられる直方体状空間隔室を建造するためのモジューラコンテナシステムであって、空間隔室が
ａ）対向する２つの端壁素子（４）を取外し可能に取付けるための差込み結合体部分（３）を持ちかつ下部基盤として役立つ床素子（１）又は階層天井素子（２）、
ｂ）下部床素子（１）又は階層天井素子（２）に取外し可能に取付けるためのはめ込み結合体部分（３′）、及び上部階層天井素子（２）又は屋根素子（７）を取外し可能に取付けるためのはめ込み結合体部分（３″）、及び側壁素子（５，６，１０５，１０６）に結合するためのはめ込み結合体部分（２０３）を持つ２つの端壁素子（４）、
ｃ）端壁素子（４）に結合するためのはめ込み結合体部分（１０３）を持つ２つの側壁素子（５，６，１０５，１０６）及び
ｄ）端壁素子（４）に取外し可能に取付けるためのはめ込み結合体部分（３）を持ちかつ上部覆いとして役立つ階層天井素子（２）又は屋根素子（７）を含んでいるものにおいて、
ｅ）側壁素子（５，６，１０５，１０６）が、下底（１１）とこれに対して平行な上底（１２）と２つの同じ長さの脚（１３）とを持つ台形として形成され、脚（１３）と下底（１１）がそれぞれ９０°より大きい内角をなし、それにより側壁素子（５，６，１０５，１０６）の面が下部床素子（１）又は階層天井素子（２）の方へ狭くなり、また上部階層天井素子（２）又は屋根素子（７）の方へ広がり、端壁素子（４）に結合するための台形はめ込み結合体部分（１０３）が、台形の脚（１３）に沿って延び、かつ脚の傾斜を持ち、
ｆ）側壁素子（５，６，１０５，１０６）に結合するための端壁素子（４）の側方はめこみ結合体部分（２０３）が、これらの側壁素子を結合可能にするために、同じ傾斜方向を持っている
ことを特徴とする、モジューラコンテナシステム。
【請求項２】
それぞれ１つのはめ込み結合体部分（３，１０３，２０３）が、溝（８，２０８）及びそれに対して平行に延びる少なくとも１つのキー（９，２０９）を持ち、従ってはめ込み結合体部分（３，１０３，２０３）のはめ合わせから生じるはめ込み結合体において、溝（８，２０８）とキー（９，２０９）がその接触面で互いに係合していることを特徴とする、請求項１に記載のモジューラコンテナシステム。
【請求項３】
並んで設けられるそれぞれ２つの空間隔室のために、共通な内側側壁素子（５，１０５）が内壁として設けられていることを特徴とする、請求項１又は２に記載のモジューラコンテナシステム。
【請求項４】
コンテナシステムのすべての端壁素子（４）及び外側側壁素子（６，１０６）がコンテナシステムの外壁を形成していることを特徴とする、請求項１〜３の１つに記載のモジューラコンテナシステム。
【請求項５】
内側側壁素子（５，１０５）が、２つのキー（９）及びその間に設けられる二重溝（１０）を有するはめ込み結合体部分（３）を持ち、それにより結合される状態で、並んで設けられる２つの端壁素子（４）の両方のはめ込み結合体部分（３）の両方のキー（９）が、一緒に二重溝（１０）へはまり、内側側壁素子（５，１０５）の２つのキー（９）のそれぞれ１つが、端壁素子（４）のはめ込み結合体部分（３）のそれぞれ１つの溝（８）にはまって、２つの端壁素子（４）を結合し、かつこれらの端壁素子を内側側壁素子（５，１０５）に結合することを特徴とする、請求項１〜４の１つに記載のモジューラコンテナシステム。
【請求項６】
床素子（１）、階層天井素子（２）又は屋根素子（７）が、それぞれ上側（１４）、下側（１５）及び４つの側面（１６）を持つなるべく長方形の板として構成され、端壁素子（４）に結合するためのはめ込み結合体部分（３）が、対向する２つの側面（１６）にそれぞれ設けられ、溝（８）及びキー（９）の縦軸線が側面（１６）に対して平行に延びていることを特徴とする、請求項１〜５の１つに記載のモジューラコンテナシステム。
【請求項７】
端壁素子（４）が上部はめ込み結合体部分（３″）及び下部はめ込み結合体部分（３′）を持っていることを特徴とする、請求項１〜６の１つに記載のモジューラコンテナシステム。
【請求項８】
床素子（１）のために、床素子（１）の上側（１４）に溝（８）及びキー（９）を持つはめ込み結合体部分（３）が設けられ、それにより端壁素子（４）の下部はめ込み結合体部分（３′）が床素子（１）の上側（１４）へはめ込み可能であることを特徴とする、請求項１〜７の１つに記載のモジューラコンテナシステム。
【請求項９】
屋根素子（７）のために、屋根素子（７）の下側（１５）に溝（８）及びキー（９）を持つはめ込み結合体部分（３）が設けられ、それにより屋根素子（７）がその下側（１５）を端壁素子（４）の上部はめ込み結合体部分（３″）へはめ込み可能であることを特徴とする、請求項１〜８の１つに記載のモジューラコンテナシステム。
【請求項１０】
階層天井素子（２）のために、階層天井素子（２）の上側（１４）に溝（８）及びキー（９）を持つはめ込み結合体部分（３）が設けられ、それにより端壁素子（４）の下部結合体部分（３′）が階層天井素子（２）の上側（１４）へはめ込み可能であり、階層天井素子（２）のために、階層天井素子（２）の下側（１５）に溝（８）及びキー（９）を持つはめ込み結合体部分（３）が設けられ、それにより階層天井素子（２）がその下側（１５）を端壁素子（４）の上部はめ込み結合体部分（３″）へはめ込み可能であることを特徴とする、請求項１〜９の１つに記載のモジューラコンテナシステム。
【請求項１１】
上部階層用の側壁素子（１０５，１０６）が、屋根素子（７）の接触範囲に、屋根素子（７）を取付けるための取付け素子（１７）を持っていることを特徴とする、請求項１〜１０の１つに記載のモジューラコンテナシステム。
【請求項１２】
取付け素子（１７）が、屋根素子（７）用保持面（２０）を持ちかつ縦方向に延びる増厚部又は縦方向に延びる突出部として形成され、それにより組立てられた状態で一番上の側壁素子（１０５，１０６）が、その重量により保持面（２０）で屋根素子（７）へ力を及ぼして屋根素子を固定することを特徴とする、請求項１〜１１の１つに記載のモジューラコンテナシステム。
【請求項１３】
外側側壁素子（６，１０６）が、なるべく長方形の覆い板（３１）を持っていることを特徴とする、請求項１〜１２の１つに記載のモジューラコンテナシステム。
【請求項１４】
コンテナシステムの構成素子が、結合状態で互いに接触可能な個所又は面に、密封片なるべく硬質ゴム層を持っていることを特徴とする、請求項１〜１３の１つに記載のモジューラコンテナシステム。
【請求項１５】
端壁素子（４）が扉及び／又は窓（１８）を持っていることを特徴とする、請求項１〜１４の１つに記載のモジューラコンテナシステム。
【請求項１６】
側壁素子（５，６）が貫通口又は扉を持っていることを特徴とする、請求項１〜１５の１つに記載のモジューラコンテナシステム。
【発明の詳細な説明】
【技術分野】
【０００１】  本発明は、請求項１の上位概念に記載の住むため又は作業するため並んで又は重ねて設けられる直方体状空間隔室を建造するためのモジューラコンテナシステムに関する。
【背景技術】
【０００２】  上記の種類の事務コンテナは、固定して動かない装置が利益にならないか又は不利益とみなされる所のどこでも使用される。このようなコンテナは特に、融通性をもって居住可能な空間を利用できるようにするために、例えば事務空間、病室、手術室等として使用するために用いられる。このようなコンテナは通常直方体状の予め製造される空間隔室であり、現場で建築物となるように並べて又は重ねて組合わされる。【０００３】  公知のコンテナシステムの欠点は、それらが変化可能でなく、費用をかけてのみ変わった空間構造に合わされることである。これは異なるコンテナ形式の費用のかかる準備を必要とし、それが長いむだ時間を生じる。このことは特に顧客の希望に合わされるコンテナに当てはまる。その結果材料使用、資本拘束及び保管面積が大きい。コンテナの輸送は不経済である。なぜならば、多くの積載面積及び頻繁な走行を必要とする改造空間を輸送せねばならないからである。更に倉庫及び現場でコンテナの昇降、積込み及び降ろしのために、強力なクレーンが必要とされる。
【発明の概要】
【発明が解決しようとする課題】
【０００４】  従って本発明の課題は、安価な在庫管理、簡単な輸送、速やかな組立て／分解及び融通性がありかつ可変な構築及び解体を可能にするモジューラコンテナシステムを提案することである。
【課第を解決するための手段】
【０００５】    この課題は、請求項１の特徴によって解決される。このコンテナシステムは公知のコンテナシステムに比べて多数の利点を持っている。完全な空間隔室は上述した個々の素子から現場で初めて組立てられる。個々の素子は、場所を節約して予め保管され、輸送され、それにより公知のコンテナシステムに比べて、保管及び輸送の費用が少ない。別の利点は、組立ての際一層小さい揚げ能力を持つクレーンを使用できることである。なぜならば、個々の素子は完全な空間隔室より小さい重量を持っているからである。付加的な利点は、コンテナシステムの組立ての際、個々の素子をはめ込み結合体によりはめ合わしさえすればよいことである。個々の素子を例えばねじ止めするか別のやり方で結合することは必要でない。これにより速やかで安価な組立て及び分解が行われる。
【０００６】本発明によれば、側壁素子が、下底とこれに対して平行な上底と２つの同じ長さの脚とを持つ台形として形成されている。その際脚と下底がそれぞれ９０°より大きい内角をなし、それにより側壁素子の面が下部床素子又は階層天井素子の方へ狭くなり、また上部階層天井素子又は屋根素子の方へ広がっている。側壁素子に結合するための台形はめ込み結合体部分が、台形の脚に沿って延び、かつ脚の傾斜を持っている。側壁素子に結合するための端壁素子の側方はめこみ結合体部分が、これらの側壁素子を結合可能にするために、同じ傾斜方向を持っている。これにより台形状側壁素子の重量により生じる力の成分が、水平方向に従って底辺に対して平行に作用する。それにより側壁素子及び端壁素子のはめ込み結合体部分が力により互いに結合され、かつ圧縮される。こうしてそれぞれ１つの側壁素子が２つの端壁素子の間に固定的に締付けられる。
【０００７】有利な構成は、従属請求項に示されており、以下に説明される。
【０００８】はめ込み結合体は少なくとも２つのはめ込み結合体部分から形成され、少なくとも１つのはめ込み結合体部分が、互いに結合すべきそれぞれの素子に設けられている。はめ込み結合体部分が、溝及びそれに対して平行に延びる少なくとも１つのキーを持ち、従ってはめ込み結合体部分のはめ合わせから生じるはめ込み結合体において、溝とキーがその接触面で互いに係合している。これにより別の取付け手段を必要とすることなく、簡単であるが確実なはめ込み結合が可能である。
【０００９】  並んで設けられるそれぞれ２つの空間隔室のために、共通な内側側壁素子が内壁として設けられている。これにより従来のコンテナと異なり、１つの側壁が節約される。
【００１０】  コンテナシステムのすべての端壁素子及び外側側壁素子がコンテナシステムの外壁を形成している。
【００１１】  内側側壁素子が、２つのキー及びその間に設けられる二重溝を有するはめ込み結合体部分を持ち、それにより結合される状態で、並んで設けられる２つの端壁素子の両方のはめ込み結合体部分の両方のキーが、一緒に二重溝へはまり、内側側壁素子の２つのキーのそれぞれ１つが、端壁素子のはめ込み結合体部分のそれぞれ１つの溝にはまって、２つの端壁素子を結合し、かつこれらの端壁素子を内側側壁素子に結合する。これにより共通な側壁素子が、台形の脚にあるそれぞれ１つのはめ込み結合体部分に、２つの端壁素子を固定的に結合することができる。
【００１２】  床素子、階層天井素子又は屋根素子が、それぞれ上側、下側及び４つの側面を持つなるべく長方形の板として構成され、端壁素子に結合するためのはめ込み結合体部分が、対向する２つの側面にそれぞれ設けられ、溝及びキーの縦軸線が側面に対して平行に延びている。その際コンテナシステムの組立てられた状態で、床素子の下側が地面のすぐ上にあり、床素子の上側が階層天井素子又は屋根素子の方へ向いている。屋根素子がその上側によりコンテナシステムの上部末端を形成する。階層天井素子は、その上側で上部空間隔室の床を形成し、その下側で下部空間隔室の天井を形成する。
【００１３】  端壁素子が上部はめ込み結合体部分及び下部はめ込み結合体部分を持っている。コンテナシステムを組み立てる際端壁素子が下部はめ込み結合体部分を床素子又は階層天井素子へはめ込まれ、上部はめ込み結合体部分へ階層天井素子又は屋根素子がはめ込まれる。
【００１４】  床素子のために、床素子の上側に溝及びキーを持つはめ込み結合体部分が設けられ、従って階層天井素子又は屋根素子の方へ向き、それにより端壁素子の下部はめ込み結合体部分が床素子の上側へはめ込み可能である。
【００１５】  屋根素子のために、屋根素子の下側に溝及びキーを持つはめ込み結合体部分が設けられ、従って階層天井素子又は床素子の方へ向き、それにより屋根素子がその下側を端壁素子の上部はめ込み結合体部分へはめ込み可能である。
【００１６】  階層天井素子のために、階層天井素子の上側に溝及びキーを持つはめ込み結合体部分が設けられ、それにより端壁素子の下部結合体部分が階層天井素子の上側へはめ込み可能である。更に階層天井素子のために、階層天井素子の下側に溝及びキーを持つはめ込み結合体部分が設けられ、それにより階層天井素子がその下側を端壁素子の上部はめ込み結合体部分へはめ込み可能である。
【００１７】  上部階層用の側壁素子が、屋根素子の接触範囲に、屋根素子を取付けるための取付け素子を持っている。
【００１８】  取付け素子が、屋根素子用保持面を持ちかつ縦方向に延びる増厚部又は縦方向に延びる突出部として形成され、それにより組立てられた状態で一番上の側壁素子が、その重量により保持面で屋根素子へ力を及ぼして屋根素子を固定する。これは側壁素子が支持を行わず、端壁素子へ掛けられるか又は差込まれることにより可能になる。
【００１９】  外側側壁素子が、なるべく長方形の覆い板を持っている。覆い板により端壁素子が覆われる。
【００２０】  床素子、階層天井素子、端壁素子、側壁素子及び屋根素子が、結合状態で互いに接触可能な個所又は面に、密封片なるべく硬質ゴム層を持っている。これにより空間隔室が雨、湿気、外部温度等のような環境の影響に対して保護される。
【００２１】  内側又は外側の側壁素子が貫通口又は扉を持っている。
【００２２】  端壁素子は常に外壁なので、扉及び／又は窓を持っている。
【００２３】  床素子、階層天井素子、端壁素子、側壁素子、屋根素子等のようなコンテナシステムの個々の構成素子が、枠を形成するアルミニウム異形材から成っている。これにより小さい重量で大きい安定性が保証される。はめ込み結合体部分も同様にアルミニウム異形材から成っている。枠に化粧張りが設けられ、外側の壁化粧張り及び屋根表面は、亜鉛めっきされた耐候性波形板から成り、内側の壁化粧張り、床化粧張り及び天井化粧張りは掻き傷がつかないか又は耐衝撃性のプラスチック板から成っている。はめ込み結合体部分の接触面は、気候の影響を避けるため密封性硬質ゴム層を備えている。構成素子の空所は、必要に応じて遮熱、防音又は防火材料で満たすことができる。充填物の種類及び量により、そのつど必要な構成素子の重量が精密に設定される。空所には、加熱装置、照明装置、開閉器、制御器、及び給電導線、通信導線、屋根排水装置用の通路が前もって設けられる。
【００２４】  本発明の実施例が図面を参照して説明され、それ以上の有利な詳細が図面の図からわかる。その際機能的に同じ部分は同じ符号を持っている。異なる部材にあって機能的に同じ部分を区別するため、符号は一部ダッシュを持っている。
【図面の簡単な説明】
【００２５】
【図１】  第１の組立て状態にあるコンテナシステムの側面図を示す。
【図２】  第２の組立て状態にあるコンテナシステムの側面図を示す。
【図３】  第３の組立て状態にあるコンテナシステムの側面図を示す。
【図４】  第４の組立て状態にあるコンテナシステムの側面図を示す。
【図５】  第１の組立て状態にあるコンテナシステムの平面図を示す。
【図６】  第２の組立て状態にあるコンテナシステムの平面図を示す。
【図７】  第３の組立て状態にあるコンテナシステムの平面図を示す。
【図８】  第４の組立て状態にあるコンテナシステムの平面図を示す。
【図９】  第５の組立て状態にあるコンテナシステムの平面図を示す。
【図１０】  第１の組立て状態にあるコンテナシステムの正面図を示す。
【図１１】  第２の組立て状態にあるコンテナシステムの正面図を示す。
【図１２】  第３の組立て状態にあるコンテナシステムの正面図を示す。
【図１３】  第４の組立て状態にあるコンテナシステムの正面図を示す。
【図１４】  第５の組立て状態にあるコンテナシステムの正面図を示す。
【図１５】  第６の組立て状態にあるコンテナシステムの正面図を示す。
【図１６ａ】  第１の組立て状態にあるコンテナシステムの斜視図を示す。
【図１６ｂ】  図１６ａの一部の拡大図を示す。
【図１７ａ】  第２の組立て状態にあるコンテナシステムの斜視図を示す。
【図１７ｂ】  図１７ａの一部の拡大図を示す。
【図１８】  第３の組立て状態にあるコンテナシステムの斜視図を示す。
【図１９】  第４の組立て状態にあるコンテナシステムの斜視図を示す。
【図２０】  第５の組立て状態にあるコンテナシステムの斜視図を示す。
【図２１】  第６の組立て状態にあるコンテナシステムの斜視図を示す。
【図２２】  第７の組立て状態にあるコンテナシステムの斜視図を示す。
【図２３】  第８の組立て状態にあるコンテナシステムの斜視図を示す。
【発明を実施するための形態】
【００２６】  以下に説明する図１〜１５は異なる組立て状態にあるコンテナシステムを示す。一階及び上階を持つ二階コンテナシステムの組立てが、時間的に順番に、それぞれ側面図、平面図及び正面図で示されている。わかり易くするため、素子は、そのはめ込まれた位置より上に、部分的に浮かんで示されている。浮かんだ素子のそばに示される矢印は、素子が他の素子へはめ込まれる方向を示している。更に他の構成素子により覆われる構成素子又は構成部分は破線で示されて、コンテナシステムにおけるその位置の印象を与える。
【００２７】  まず説明される図１〜４は側面図なので、床素子１、階層天井素子２及び屋根素子７及び内側側壁素子５のみが示されている。
【００２８】  図１は、端壁素子４及び側壁素子５用の基盤を形成する床素子１を持つコンテナシステムの側面図を示す。端壁素子４及び内側側壁素子５は、わかり易くするため、はめ込まれた位置でなく、はめ込まれた位置より上に示されている。
【００２９】  床素子１は、上側１４、下側１５及び４つの側面１６を持つ長方形の板である。床素子１はその下側１５で地面１９に載っている。上側１４は歩行可能な床を形成している。床素子１の対向する２つの側面１６にはめ込み結合体部分３が付加されている。床素子１及び端壁素子４のはめ込み結合体部分３は、溝８及びこれに対して平行に延びるキー９から成っているので、両方の素子のはめ合わせの際、２つのはめ込み結合体部分からはめ込み結合体が形成され、その溝８とキー９が互いに係合する。端壁素子４では下部の溝８′及びキー９′が覆われ、従って破線で示されている。床素子１の溝８及びキー９は、床素子１の上側１４に設けられている。これらのはめ込み結合体部分３へ、端壁素子４の対応する下部はめ込み結合体部分３′がはめられる。下部はめ込み結合体部分３′は、その接触面が下方従って床素子１の方へ向いている。
【００３０】  内側側壁素子５は下底１１及びこれに対して平行な上底１２及び２つの同じ長さの脚１３を持つ台形状板として形成されている。２つの脚１３と下底１１はそれぞれ９０°より大きい内角をなしており、それにより側壁素子５の面は下方へ狭くなり、上方へ広がっている。従って上底１２は下底１１より長い。台形の脚１３に沿って、端壁素子４に結合するためのはめ込み結合体部分１０３（図示せず、図１７参照）が設けられ、これらのはめ込み結合体部分１０３は脚１３の傾斜を持っている。端壁素子４には、はめ込み結合体部分１０３に合うはめ込み結合体部分２０３（図１７も参照）が設けられ、同じ傾斜方向を持っている。こうして側壁素子５及び端壁素子４のはめ込み結合体部分が固定的に結合される。
【００３１】  内側側壁素子５の台形形状及び傾斜したはめ込み結合体部分３により、台形状側壁素子５の重量によって生じる力の成分が、水平方向に従って底１１，１２に対して平行に作用する。それにより側壁素子５及び端壁素子４のはめ込み結合体部分３は、力により互いに結合されかつ互いに押付けられる。この摩擦結合により、側壁素子５が２つの端壁４の間に締付けられる。図１に示してない外側側壁素子６も同様に上述した台形形状を持っている。
【００３２】  端壁素子４は、それぞれ上方へ向く接触面を持つ溝８″及びキー９″を有するはめ込み結合体部分３″を持っている。こうして上部はめ込み結合体部分３″は、階層天井素子２又は屋根素子７（図示せず）へはめ込み可能である。
【００３３】  素子１，４，５が結合された状態で互いに接触する個所又は面で、これらが硬質ゴム密封片で被覆されている。これにより湿気、気候の影響等に対する密封が保証されている。
【００３４】  図２は、破線で示す床素子１、その上へはめ込まれる２つの端壁素子４及び両方の端壁素子４の間にはめ込まれている内側側壁素子５を持つ図１のコンテナシステムの側面図を示す。これらの素子の上に、更に組立てるべき別の素子が示されているが、わかり易くするため、それが設けられる位置より上に浮いている。これらは階層天井素子２、２つの別の端壁素子４及び上部覆いとしての屋根素子７である。
【００３５】  階層天井素子２は上側１４′、下側１５′及び４つの側面１６′を持つ長方形の板である。底面は床素子１及び屋根素子７の底面に一致する。床素子１、その上へはめられる両方の端壁４、側壁素子５、はめ込まれた状態にある階層天井素子２及び別の図示しない側壁素子５によって、閉じた空間隔室が形成される。階層天井素子２の下側１５′は天井を形成する。上側１４′は、その上にある別の空間隔室用の通行可能な床を形成する。
【００３６】  階層天井素子の互いに対向する側面１６′には、全部で４つのはめ込み結合体部分３ａ，３ｂが付加されている。これらのはめ込み結合体部分３ａ，３ｂは、床素子１及び端壁素子４におけるように、溝８及びそれに対して平行に延びるキー９から成っているので、２つの素子のはめ合わせの際、２つのはめ込み結合体部分３からはめ込み結合体が形成され、その溝８とキー９が互いに係合する。
【００３７】  互いに対向する２つのはめ込み結合体部分３ａは階層天井素子２の上側１４′に設けられ、従って図２において屋根素子７の方へ向き、それにより別の階層の端壁素子４の下部はめ込み結合体部分３′が、階層天井素子２の上側１４′へはめ込み可能である。端壁素子４はすべての階層又は階に対して同じ構造である。
【００３８】  更に階層天井素子２のために、対向する２つの別のはめ込み結合体部分３ｂが、階層天井素子２の下側１５′に設けられ、従って図２において床素子１の方へ向き、それにより階層天井素子２がその下側１５′を端壁素子４の上部はめ込み結合体部分３″へはめ込み可能である。
【００３９】  更に最上階層用の上部覆いとして役立つ屋根素子７が示されている。この屋根素子７のために、同様に対応するはめ込み結合体部分３が屋根素子７の下側１５″に設けられ、従って階層天井素子２の方へ向けられ、それにより屋根素子７が、その下側１５″で端壁素子４の上部はめ込み結合体３″へはめ込み可能である。
【００４０】  図３は、図２のすべての素子１，２，４，５，７をはめ合わされた状態で示している。これらの素子の上に最上の内側側壁素子１０５が示されているが、わかり易くするためその所定の位置より上に浮いている。
【００４１】  図１〜３から、二階コンテナシステムに個々の素子を組立てる際における次の順序がわかる。まず少なくとも１つの床素子１がその下側１５を地面の上に置かれる。それから端壁素子４が床素子１上へはめ込まれる。端壁４の間へ、第１の階層用従って一階用の内側側壁５及び（図示しない）外側側壁素子６がはめ込まれる。その後端壁素子４上へ、１つ又は複数の階層天井素子２がはめ込まれる。それから階層天井素子２上へ別の端壁素子４がはめ込まれる。それから端壁素子４上へ少なくとも１つの屋根素子７がはめ込まれる。最後の端壁素子４の間へ、二階従って上階層のための別の内側側壁素子１０５及び外側側壁素子１０６がはめ込まれる。これらの最上側壁素子１０５，１０６は、他の階層のために使用される側壁素子５，６とは、それらが屋根素子７の接触範囲に増厚部１７を持っている、という点で相違している。増厚部１７は、台形状側壁素子１０５，１０６の長い方の上底１２に設けられている。はめ込まれた状態で側壁素子１０５，１０６が、その重量により増厚部１７を屋根素子７へ押付け、それにより屋根素子を固定する。
【００４２】  図４は、最上の側壁素子１０５をはめ込まれて組立ての完了したコンテナシステムを示す。構成素子の覆われる部分は破線で示されている。コンテナシステムは一階１１０と上階１２０から成っている。しかし本発明によるコンテナシステムはこの階層に限定されない。原理的に任意の数の階層を重ねることができる。制限は静的負荷及び素子特に端壁素子４の負荷能力のみによって生じる。
【００４３】  建造物の負荷は大部分端壁素子４による負担され、側壁素子５，６は僅かな力しか伝達しない。
【００４４】  以下に説明する図５〜９は、種々の組立て状態におけるコンテナシステムの平面図を示す。一階及び上階を持つ二階コンテナシステムの組立てが、時間的順序で示されている。
【００４５】  図５は、コンテナシステムの基盤を形成する３つの床素子１の平面図を示す。床素子１は、地面１９（図示せず）上に載る長方形の板から成っている。上側１４は通行可能な床を形成している。床素子１の対向する２つの短い側面１６に、それぞれ１つのはめ込み結合体部分３が付加されている。これは溝８とこれに対して平行に延びるキー９から成っている。全部で４つのはめ込み結合体部分３上へ、それぞれ１つの端壁素子４がはまっている。
【００４６】  ３つの床素子１は、長い側面１６′を並べて設けられている。これらの長い側面１６′ははめ込み結合体部分を持っていない。しかし本発明によるコンテナシステムは、３つの床素子１の図示した数に限定されない。原理的には任意の数の床素子１を並べて設けることができ、床素子１のそれぞれ１つの上側１４が空間隔室の底面を形成している。
【００４７】  図６は、６つのすべての端壁素子がはめ込まれた図５の３つの床素子１の平面図を示す。床素子１のこの配置から、端壁素子４が常に外壁であることがわかる。
【００４８】  図７は、図６の端壁素子４がはめ込まれた３つの床素子１を示す。更に内側側壁素子５及び外側側壁素子６もはめ込まれている。外側側壁素子６は端壁素子４と共にコンテナシステムの外壁を形成している。外側側壁素子は内側側壁素子５から区別される。内側側壁素子５は空間隔室の分離に役立つだけでなく、更にそれぞれ２つの端壁を結合する機能を持っている。この目的のため内側側壁素子５のはめ込み結合体部分３は、２つのキー９とその間に設けられる二重溝１０を持っている。
【００４９】  並んで設けられるそれぞれ２つの端壁素子４の両方のはめ込み結合体部分３の両方のキー９は、一緒に二重溝１０へはまり、こうして内側側壁素子５に結合される。これにより１つの側壁素子５が、台形の脚１３（図示せず）にあるそれぞれ１つのはめ込み結合体部分３により、２つの端壁素子４を結合する。こうして３つの素子のはめ込み結合が行われる。これにより特に速やかな組立てが可能である。
【００５０】  図８は図７のコンテナシステムを示し、更に３つの階層天井素子２（図示せず）、６つの上部端壁素子４（図示せず）及び３つの屋根素子７がはめ込まれている。組立て状態は図３に示したものに相当している。屋根素子７は、床素子１及び階層天井素子２のように、平面図においてほぼ長方形である。これらの素子とは異なり、屋根素子の長辺に凹所２２があり、２つの屋根素子７が並んで設けられる場合、これらの凹所２２が隙間２３を形成する。
【００５１】  組立てを終了するため、最も上の外側側壁素子１０６が凹所２２へはめ込まれ、最も上の内側側壁素子１０５が隙間２３へはめ込まれる（図９参照）。
【００５２】  図９は、はめ込まれた最も上の内側及び外側側壁素子１０５，１０６を持つ図８のコンテナシステムを、完全に組立てられた状態で示す。これらの最も上の側壁素子１０５，１０６は、他の階層の側壁素子５，６とは、それらが屋根素子７の接触範囲に、屋根素子７を取付けるための増厚部１７を持っているという点で相違している。増厚部１７は凹所２２又は隙間２３を覆う。更に最も上の側壁素子１０５，１０６は、その重量により増厚部１７で屋根素子７を押し、それによりこれらの屋根素子を固定する。
【００５３】  図１０〜１５は、異なる組立て状態におけるコンテナシステムの正面図を示す。一階１１０及び上階１２０を持つ二階コンテナシステムの組立ては、図１〜４及び５〜９におけるような時間的順序で示されている。
【００５４】  図１０は、並んで設けられる３つの床素子１の正面図を示す。図において左外側床素子１′上へ、窓１８を持つ側壁素子４がはめられる。この床素子１′は端壁素子４により覆われ、従って破線で示されている。覆われるはめ込み結合体部分３も同様に破線で示されている。中間の端壁素子４は、わかり易くするためはめ込まれる位置の上に浮いて示されている。
【００５５】  図１１は、破線で示される床素子１へはめ込まれている図１０の３つの端壁素子４を示す。左の外側側壁素子６は完全にはめ込まれ、それと共に空間隔室を形成する内側側壁素子５は、半分はめ込まれている。別の内側側壁素子５及び外側側壁素子６は浮いて示されている。側壁５，６において、はめ込み結合体部分３はハッチングを施して示されている。両方の内側側壁素子５には、それぞれ２つの端壁素子４を結合するための二重溝１０が設けられている。垂直な矢印ははめ込み方向を示す。
【００５６】  図１２は、（破線で示す）床素子１、一階及び二階用の端壁素子４、（破線で示す）内側側壁素子５及び外側側壁素子６、階層天井素子２、及び屋根素子７を持つコンテナシステムを組立て状態で示す。覆われるはめ込み結合体部分３は破線で示されている。
【００５７】  図１３は、一階１１０及びはめられる端壁素子４及び上階１２０用屋根素子７を持つ図１２におけるような二階コンテナシステムを示す。
【００５８】  図１４は、１つの完全にはめ込まれた最上の外側側壁素子１０６、半分はめ込まれた１つの最上の内側側壁素子１０５、浮いて示される２つの側壁素子１０５，１０６を持つ図１３のコンテナ素子を示す。最上階用の最上の側壁素子１０５，１０６は、他の階層用の側壁素子５，６とは、屋根素子７の接触範囲に増厚部１７が設けられているという点で相違している。増厚部１７は、屋根素子７の方向に、屋根素子７用の面取りされた保持面２０を持っている。側壁素子１０５，１０６は、その重量により、保持面２０で力を屋根素子７へ及ぼし、それによりこれを固定する。側壁素子１０５，１０６は荷重を負担せず、端壁素子４へ掛けられるか又ははめ込まれるので、側壁素子はその重量により力を屋根素子７へ及ぼし、これらを保持面２０で固定する。このため屋根素子７は、保持面２０に対して対応する傾斜面２１７を持っている。最上の内側側壁１０５の増厚部１７は、対向して設けられる２つの保持面２０を持ち、最上の外側側壁素子１０６の増厚部１７は１つの保持面２０しか持っていない。
【００５９】  図１５は、２つの階層１１０，１２０に全部で６つの空間隔室を持つ完全に組立てられたコンテナシステムを示す。
【００６０】  以下に説明される図１６〜２３は、コンテナシステムの上述した構成素子を示し、わかり易くするため、構成素子の表面は一部透明に示されて、針金格子模型におけるように、構成素子の内部を見るのを可能にし、その機能を明らかにする。
【００６１】  図１６ａは、両方の端壁素子４及び側壁素子５（図示せず）用の基盤を形成する床素子１の側方斜視図を示す。わかり易くするため、端壁素子４ははめ込まれる位置より上に示されている。
【００６２】  床素子１は、対向する２つの側面１６にはめ込み結合体３を付加される長方形の板である。このはめ込み結合体部分３上へ端壁素子４の対応する下部はめ込み結合体部分３′がはめられる。両方の縦長の側面１６には、それぞれ１つの載置桟片２１が設けられている。この桟片は側壁素子５，６，１０５，１０６用の支えとして役立つ。端壁素子４は更に階層天井素子２又は屋根素子７（図示せず）用の上部はめ込み結合体部分３″を持っている。
【００６３】  すべての構成素子のはめ込み結合体部分３は、溝８とそれに対して平行に延びる少なくとも１つのキー９から成っているので、はめ合わせの際、互いに係合する２つのはめ込み結合体部分から成るはめ込み結合体が形成される。
【００６４】  図１６ｂは、溝８とそれに対して平行に延びるキー９から成るはめ込み結合体部分３及び載置桟片２１２を持つ図１７の床素子１の拡大された斜視部分図を示す。
【００６５】  図１７ａは２つの端壁素子４を持つ図１６の床素子１の斜視図を示し、端壁素子４が床素子１上へはめられている。台形状の内側側壁素子５は、そのはめ込まれた位置（図１９参照）より上に浮いて示されている。側壁素子５を両方の端壁素子４の間へはめ込むため、傾斜したはめ込み結合体部分１０３，２０３が設けられている。台形はめ込み結合体部分１０３は台形の両方の脚１３に沿って設けられ、その傾斜を持っている。そのため端壁素子４には、それに合う側方はめ込み結合体部分２０３が設けられて、同じ傾斜方向を持っている。
【００６６】  こうして端壁素子４は、全部で４つのはめ込み結合体部分、即ち上部結合体部分３″、下部はめ込み結合体部分３′及び２つの傾斜した側方結合体部分２０３を持っている。
【００６７】  内側側壁素子５は、扉又は隣接する空間隔室用通路としての開口（図示せず）を持つことができる。
【００６８】  図１７ｂが端壁素子４の詳細図で示すように、端壁素子４の側方はめ込み結合体部分２０３は、側方溝２０８とそれに対して平行に延びる側方キー２０９から成っている。台形はめ込み結合体部分１０３は対応する溝及びキー（図示せず）を持っているので、はめ合わせの際互いに係合する２つのはめ込み結合体部分１０３及び２０３から、はめ込み結合体が形成される。ここに説明したすべてのはめ込み結合体は、従って同じような特徴及び同じ作用原理を持っている。
【００６９】  図１８は、図１７ａの床素子１及び端壁素子４を、浮いて示される付加的な外側側壁素子６と共に示す。外側側壁素子６は、図１７の内側側壁素子５に対応する台形状板３０から成っている。更にそれは、台形状板３０に結合される長方形の覆い板３１を持っている。長方形の覆い板３１は透明に示され、こうして見る方向においてその後に設けられる台形状の板３０を示す。
【００７０】  図１９は、図１７ａの床素子１及び２の端壁素子４を示す。更に２つの外側側壁素子６が端壁素子４へはめ込まれている。長方形の覆い板３１が端壁素子４の側面を完全に覆っている。階層天井素子２が、そのはめ込まれる位置により上に浮いて示されている。階層天井素子２は、その短い方の側面にそれぞれ１つの上部はめ込み結合体部分３ａ及び下部はめ込み結合体部分３ｂを持ち、その長い方の側面に側壁素子５，６，１０５，１０６を載せるためのそれぞれ１つの載置桟片２１を持っている。階層天井素子２は、下及び上の階層への出入りを可能にするために、階段（図示せず）を有する開口を持つことができる。
【００７１】  図２０は、図１７ａの床素子１及び２つの端壁素子４と、更にそのはめ込まれた位置に浮遊して示される屋根素子７を示す。
【００７２】  図２１及び２２は、最上の内側側壁素子１０５及び最上の外側側壁素子１０６の側方斜視図を示す。これらの最上の側壁素子１０５，１０６は、他の下の階層のために使用される側壁素子５，６とは、それらが屋根素子７の接触範囲に増厚部１７を持っているという点で相違している。増厚部１７は、台形状側壁１０５，１０６の長い方の上底１２に設けられている。はめ込まれた状態で側壁素子１０５，１０６は、その重量により増厚部１７を（図示しない）屋根素子７へ押付け、それにより屋根素子を固定する。
【００７３】  図２３は、本発明によるコンテナシステムの完全な空間隔室の側方斜視図を示す。空間隔室は、床素子１、床素子１へはめ込まれる２つの端壁素子４、端壁素子４へはめ込まれる屋根素子２、端壁素子４へはめ込まれかつ透明に示されている最上の外側側壁素子１０６、及び端壁素子４へはめ込まれる最上の内側側壁素子１０５を含んでいる。
【００７４】  上述したコンテナシステムは、場所を節約して保管され、かつ輸送され、はめ込み結合体により速やかにかつ簡単に組立てられ、融通性をもって使用及び拡張可能である。
【図１】
0005632394.tif 000002
【図２】
0005632394.tif 000003
【図３】
0005632394.tif 000004
【図４】
0005632394.tif 000005
【図５】
0005632394.tif 000006
【図６】
0005632394.tif 000007
【図７】
0005632394.tif 000008
【図８】
0005632394.tif 000009
【図９】
0005632394.tif 000010
【図１０】
0005632394.tif 000011
【図１１】
0005632394.tif 000012
【図１２】
0005632394.tif 000013
【図１３】
0005632394.tif 000014
【図１４】
0005632394.tif 000015
【図１５】
0005632394.tif 000016
【図１６ａ】
0005632394.tif 000017
【図１６ｂ】
0005632394.tif 000018
【図１７ａ】
0005632394.tif 000019
【図１７ｂ】
0005632394.tif 000020
【図１８】
0005632394.tif 000021
【図１９】
0005632394.tif 000022
【図２０】
0005632394.tif 000023
【図２１】
0005632394.tif 000024
【図２２】
0005632394.tif 000025
【図２３】
0005632394.tif 000026